(57)【特許請求の範囲】
【請求項１】
前後身頃部と、該前後身頃部の左右肩部に縫着されるラグラン袖部を備えたトップ側のインナーウエアであって、
前記ラグラン袖部と前後身頃部とを接合する腋下点からウエストラインまでの寸法Ｌ１に対して腋下点から４０〜６０％の範囲の地点を左右切替中間点とすると共に、前身頃部側の前記ラグラン袖部の縫着ラインの略中間点を左右切替始点とし、該左右切替始点から前記左右切替中間点を結ぶ左右円弧ラインを後身頃部に連続させて１つの円弧状切替ラインとし、該円弧状切替ラインと前記ラグラン袖部との境界ラインおよび後身頃部の首回りラインを囲む第一領域を、該第一領域を囲む他の領域より伸び率が大きな伸縮性素材で形成していることを特徴とするインナーウエア。
【請求項２】
前記円弧状切替ラインは後身頃部でウエストラインより上方に位置し、該ウエストラインより下方に延在して臀部頂点に達する下端までの第二領域は、前記第一領域の素材以上の伸び率を有する伸縮性素材で形成している請求項１に記載のインナーウエア。
【請求項３】
前記第一領域と前記他の領域との伸び率の差は１５０％〜３００％である請求項１に記載のインナーウエア。
【発明の詳細な説明】
【技術分野】
【０００１】
本発明はインナーウエアに関し、詳しくは、着用者の日常的な動作にスムーズに追従できるものである。
【背景技術】
【０００２】
従来、インナーウエアの着用感を高めるため、さまざまな工夫がなされている。例えば、本出願人は、図５に示すように、インナーウエア（婦人用肌着）１００の前身頃部１０１を上側生地１０１ａと下側生地１０１ｂに分割し、これらの接続縫着部１０２の上側生地１０１ａ側にダーツ縫い部１０３を設けることにより、胸回りに余裕を持たせて着用感を高めたインナーウエア１００を提案している（特開平１０−４６４０２号公報）。
しかし、前記インナーウエア１００を構成する前身頃部１０１や後身頃部１０４はすべて同じ素材の生地からなるため、素材によっては腕伸ばしや前屈（腰曲げ）など着用者の日常的な動作にインナーウエア１００をスムーズに追従させることができない場合がある。着用者の動作にインナーウエアが追従できないと、生地の引きつれが生じて窮屈感が増したり、思うような動作ができなかったりする場合がある。また、動作に伴い生地が位置ズレしてフィット感が損なわれる場合もある。
【先行技術文献】
【特許文献】
【０００３】
【特許文献１】特開平１０−４６４０２号公報
【発明の概要】
【発明が解決しようとする課題】
【０００４】
本発明は前記問題に鑑みてなされたものであり、着用者の日常的な動作にインナーウエアをスムーズに追従させて着用感を向上させることを課題としている。
【課題を解決するための手段】
【０００５】
前記課題を解決するため、本発明は、前後身頃部と、該前後身頃部の左右肩部に縫着されるラグラン袖部を備えたトップ側のインナーウエアであって、
前記ラグラン袖部と前後身頃部とを接合する腋下点からウエストラインまでの寸法Ｌ１に対して腋下点から４０〜６０％の範囲の地点を左右切替中間点とすると共に、前身頃部側の前記ラグラン袖部の縫着ラインの略中間点を左右切替始点とし、該左右切替始点から前記左右切替中間点を結ぶ左右円弧ラインを後身頃部に連続させて１つの円弧状切替ラインとし、該円弧状切替ラインと前記ラグラン袖部との境界ラインおよび後身頃部の首回りラインを囲む第一領域を、該第一領域を囲む他の領域より伸び率が大きな伸縮性素材で形成していることを特徴とするインナーウエアを提供している。
【０００６】
本発明では、着用者の日常的な動作のうち、腕を前方や上方に伸ばす動作に着目し、該動作にスムーズに追従することが可能な、袖付きのトップ側インナーウエアを提供している。即ち、第１の発明ではトップ側のインナーウエアの袖部を前記のような腕伸ばし動作を阻害しにくいラグラン袖部とすると共に、前身頃部側の前記左右切替始点（前身頃部側のラグラン袖縫着ラインの略中間点）から前記左右切替中間点（腋下点からＬ１の４０〜６０％の位置）を結ぶ左右円弧ラインを後身頃部側に連続させた円弧状切替ラインと、前記ラグラン袖との境界ラインと、後身頃の首回りラインとで囲まれる第一領域を、周囲の他の領域より伸び率の大きい伸縮性素材で形成している。
【０００７】
本発明者らは、前記のような腕伸ばし動作を行ったとき、前記第一領域でカバーされる動作者の皮膚領域が他の皮膚領域より伸びが大きくなることを見出した。したがって、前記腕伸ばし動作によって皮膚の伸びが大きくなる前記第一領域に伸び率の大きな伸縮性素材を配置することで、前記腕伸ばし動作に対するインナーウエアの追従性を効果的に高め、着用時の前記動作を快適に行わせることができる。また、すべての領域に伸び率の大きい伸縮性素材を用いるのでなく、前記動作を行っても皮膚の伸びが大きくならない部分には伸び率を下げた伸縮性素材を用いるため、着用者が良好な挙動追従効果を体感することが可能となり、着脱が楽に行えるというメリットもある。
【０００８】
前記円弧状切替ラインは後身頃部でウエストラインより上方に位置していることが好ましい。
また、前記のような腕伸ばし動作に加え、腰曲げ（前屈）動作にも追従できるラグラン袖部付きのトップ側インナーウエアを形成することも可能である。
そのためには、ウエストラインより下方に延在して臀部頂点に達する下端までの第二領域を設け、該第二領域を、前記第一領域の素材以上の伸び率を有する伸縮性素材で形成していることが好ましい。
【０００９】
本発明者らは、前記のような腰曲げ動作を行ったとき、前記第二領域でカバーされる動作者の皮膚領域が他の皮膚領域より伸びが大きくなることを見出した。したがって、前記腰曲げ動作によって皮膚の伸びが大きくなる第二領域に前記第一領域と同じ伸縮性素材あるいは第一領域より伸び率の大きな伸縮性素材を配置することで、前記腰曲げ動作に対するインナーウエアの追従性も効果的に高めることができる。したがって、前記構成のインナーウエアによれば、着用時の腕伸ばし動作と腰曲げ動作の両方を快適に行わせることができる。なお、ウエストラインより上方に位置する前記第一領域と、ウエストラインより下方に延在する第二領域の間には、該第一、第二領域より伸び率の小さい他の領域が設けられている。
【００１３】
前記第一、第二領域はベアのポリウレタン糸を用いて編成した天竺編組織（以下、ベア天竺という）またはベアのポリウレタン糸を用いて編成したフライス編組織（以下、ベアフライスという）から形成していることが好ましく、前記他の領域は弾性糸を用いずに編成されたフライス編組織（以下、単にフライスという）または弾性糸を用いずに編成された天竺編組織（以下、単に天竺という）から形成していることが好ましい。
【００１４】
前記のように、第一、第二領域を伸びの良いベア天竺で形成することにより、腕上げ動作や腰曲げ動作、膝の突き出し動作を行ったときの皮膚の伸びとほぼ同じ伸びを第一、第二において実現することができる。よって、前記動作を行った時のインナーウエアの追従性を一層向上させることができる。
また、横方向に伸びを有するフライスから前記他の領域を形成することにより、インナーウエアにフィット感を与えることができる。
【００１５】
前記第一領域と他の領域との伸び率の差は１５０％〜３００％であることが好ましい。  前記第一領域と他の領域との伸び率の差が１５０％未満であると、着用者が挙動追従効果を実感できない場合がある一方、
伸び率の差が３００％を超えると、前記第一領域の伸び率が大きくなりすぎるか、他の領域の伸び率が小さくなりすぎることになり、その結果、着用感が悪いと感じる場合がある。
【００１６】
前記ベア天竺からなる前記第一、第二領域の編地に用いる編み糸としては、綿、レーヨン、キュプラ、アクリルなどを用いた糸を表糸に、ベアのポリウレタン糸を裏糸として編成することが好ましい。第一領域の伸び率より第二領域の伸び率を大とするには、例えば前記ベアのポリウレタン糸の繊度を大きくすることが考えられる。
一方、前記フライスからなる他の領域の編地の編み糸としては、綿、レーヨン、キュプラ、アクリルなどの糸を用いることが好ましい。
【発明の効果】
【００１７】
前述したように、本発明では、トップ側のインナーウエアの袖部を前記のような腕伸ばし動作を阻害しにくいラグラン袖部とすると共に、前身頃部側の前記左右切替始点（前身頃部側のラグラン袖縫着ラインの略中間点）から前記左右切替中間点（腋下点からＬ１の４０〜６０％の位置）を結ぶ左右円弧ラインを後身頃部側に連続させた円弧状切替ラインと、前記ラグラン袖との境界ラインと、後身頃の首回りラインとで囲まれる第一領域を、周囲の他の領域より伸び率の大きい伸縮性素材で形成している。腕を上方や前方に伸ばす動作をしたとき、動作者の皮膚のうち最もよく伸びるのは前記第一領域でカバーされる皮膚領域であるため、前記のように、前記第一領域を周囲の他の領域より伸び率の大きい伸縮性素材で形成することにより、前記腕伸ばし動作に対するインナーウエアの追従性を効果的に高め、着用時の前記動作を快適に行わせることができる。また、すべての領域に伸び率の大きい伸縮性素材を用いるのでなく、前記動作を行っても皮膚の伸びが大きくならない部分には伸び率を下げた伸縮性素材を用いるため、着用者が良好な挙動追従効果を体感することが可能となり、着脱が楽に行えるというメリットもある。
【図面の簡単な説明】
【００２０】
【図１】本発明の第１実施形態のトップ側インナーウエアを示し、（Ａ）は正面図、（Ｂ）は背面図、（Ｃ）は斜視図である。
【図２】本発明の第１実施形態のボトム側インナーウエアを示し、（Ａ）は正面図、（Ｂ）は背面図、（Ｃ）は斜視図である。
【図３】第１実施形態の変形例のトップ側インナーウエアを示し、（Ａ）は正面図、（Ｂ）は背面図、（Ｃ）は斜視図である。
【図４】参考実施形態のトップ側インナーウエアを示し、（Ａ）は正面図、（Ｂ）は背面図である。
【図５】従来例を示す図である。
【発明を実施するための形態】
【００２１】
以下、本発明の実施形態を図面を参照して説明する。
図１および図２に第１実施形態のインナーウエアを示す。第１実施形態では、図１に示すトップ側インナーウエア１と図２に示すボトム側インナーウエア１０とを組み合わせて上下１セットのインナーウエアとしている。
【００２２】
トップ側インナーウエア１は、図１に示すように、前身頃部２、後身頃部３およびラグラン袖部７から形成している。前後身頃部２、３は、前身頃布４、第一領域布５および後身頃布６からなり、前記第一領域布５の前身頃側左右部分５ａと中央の前身頃布４とで前身頃部２を形成し、前記第一領域布５の後身頃側中央部分５ｂと下方に連続する後身頃布６とで後身頃部３を形成している。
ラグラン袖部７は左右それぞれ一枚布で形成し、下端縁を縫着して筒状とすると共に、前後身頃部２、３の肩側端縁とラグラン袖部７の肩側端縁とを縫着し、この縫着ラインをラグランラインＲとしている。
【００２３】
前記第１領域布５と、前身頃布４および後身頃布６との切替ラインＡ（縫着ライン）は以下のように定めている。まず、前身頃部２側のラグランラインＲの略中間点を左右切替始点Ｐ１とする。さらに、前後身頃部２、３とラグラン袖部７が接合する腋下点８からウエストラインＷまでの寸法Ｌ１に対して腋下点８から４０〜６０％の範囲（本実施形態では５３％）の地点を左右切替中間点Ｐ２とする。前記左右切替始点Ｐ１と左右切替中間点Ｐ２とを結ぶ左右円弧ラインを後身頃部３側に連続させて１つの円弧状切替ラインＡとしている。即ち、第一領域布５を前記円弧状切替ラインＡとラグラン袖７との境界ライン（ラグランラインＲ）と後身頃部３の首回りラインＮとに囲まれた領域に設けており、円弧状切替ラインＡに沿って第一領域布５の端縁を前身頃布４の左右脇側端縁と後身頃布６の上端縁に縫着している。なお、円弧状切替ラインＡはウエストラインＷより上方に位置させている。
【００２４】
本実施形態では、第一領域布５の素材を、他の領域である前身頃布４、後身頃布６およびラグラン袖部７の素材と異ならせ、第一領域布５の伸び率＞他の領域の伸び率としている。具体的には、第一領域布５を綿とレーヨンの混紡糸を表糸、繊度２８デシテックスのベアのポリウレタン糸を裏糸として編成されたベア天竺からなる伸縮性素材で形成する一方、他の領域である前身頃布４、後身頃布６およびラグラン袖部７は、４０番手の綿とレーヨンの混紡糸により編成されたフライスからなる伸縮性素材で形成している。第一領域布５の素材伸び率と他の領域（前身頃布４、後身頃布６、ラグラン袖部７）の伸び率の差は２００％程度としている。
【００２５】
前記のようにトップ側インナーウエア１の袖部をラグラン袖部７にすることで、腕を前方や上方に伸ばす動作がしやすくなる。また、前身頃部２側の左右切替始点Ｐ１から左右切替中間点Ｐ２を結ぶ左右円弧ラインを後身頃部３側に連続させた円弧状切替ラインＡと、ラグラン袖部７との境界ライン（ラグランラインＲ）と、後身頃部３の首回りラインＮとで囲まれる第一領域布５を、周囲の他の領域（前身頃布４、後身頃布６、ラグラン袖部７）より伸び率の大きい伸縮性素材で形成している。腕を上方や前方に伸ばす動作をしたとき、動作者の皮膚のうち最もよく伸びるのは第一領域布５でカバーされる皮膚領域であるため、前記のように、第一領域布５を周囲の他の領域より伸び率の大きい伸縮性素材で形成することにより、前記腕伸ばし動作に対するインナーウエア１の追従性を効果的に高め、着用時の前記動作を快適に行わせることができる。また、すべての領域に伸び率の大きい伸縮性素材を用いるのでなく、前記動作を行っても皮膚の伸びが大きくならない部分には伸び率を下げた伸縮性素材を用いるため、着用者が良好な挙動追従効果を体感することが可能となり、着脱が楽に行えるというメリットもある。
【００２６】
一方、トップ側インナーウエア１に組み合わせるボトム側インナーウエア１０は、図２に示すように下腹部および左右大腿部の前面側を覆う前身頃部１１と、臀部および左右大腿部の後面側を覆う後身頃部１２と、前後身頃部１１、１２の内股側に介在させて縫着するマチ部１３とからなり、前後身頃部１１、１２の上端にはウエストバンド１４を設けている。本実施形態のボトム側インナーウエア１０は、下腹部および臀部を囲むヒップ部１８と左右大腿部を囲む脚部１９を有したロング丈（３分丈）としているが、さらに丈の長いものでもよい。
【００２７】
前後身頃部１１、１２は、左右本体布１５、左右第三領域布１６、左右臀部布１７からなる。
左右本体布１５は、下腹部および左右大腿部の前面側を覆う前身頃側部分１５ａと左右大腿部の後面を覆う後身頃側部分１５ｂを脇側で連続させている。
また、左右第三領域布１６は臀溝に沿った上端ラインＨから下方に幅５〜１５ｃｍ（本実施形態では７ｃｍ）の範囲の円弧状の帯部であり、帯部の端部は後身頃部１２側から前身頃部１１側に延在させている。
【００２８】
したがって、前身頃部１１は、左右本体布１５の前身頃側部分１５ａと左右第三領域布１６の前身頃部分１６ａを縫着することにより形成し、後身頃部１２は、左右本体布１５の後身頃側部分１５ｂと左右第三領域布１６の後身頃部分１６ｂと左右臀部布１７を縫着することにより形成している。
【００２９】
ボトム側インナーウエア１０の左右第三領域布１６の素材を、他の領域である左右本体布１５、左右臀部布１７およびマチ部１３の素材と異ならせ、左右第三領域布１６の伸び率＞他の領域の伸び率としている。本実施形態では、左右第三領域布１６の素材をトップ側インナーウエア１の第一領域布５と同じベア天竺からなる伸縮性素材とし、ボトム側インナーウエア１０の他の領域（左右本体布１５、左右臀部布１７およびマチ部１３）の素材をトップ側インナーウエア１の他の領域（前身頃布４、後身頃布６、ラグラン袖部７）の素材と同じフライスからなる伸縮性素材としている。
【００３０】
前記のように、トップ側のインナーウエア１に組み合わせるボトム側のインナーウエア１０において、臀溝に沿った上端ラインＨから下方に幅５〜１５ｃｍの範囲の円弧状の帯部からなる左右第三領域布１６の素材を、他の領域（左右本体布１５、左右臀部布１７およびマチ部１３）より伸び率が大きいベア天竺からなる伸縮性素材で形成している。階段昇りや着座など膝を前方に突き出す動作をしたとき、動作者の皮膚のうち最もよく伸びるのは左右第三領域布１６でカバーされる皮膚領域であるため、前記のように、左右第三領域布１６を他の領域より伸び率の大きい伸縮性素材で形成することにより、前記膝の突き出し動作に対するインナーウエアの追従性を効果的に高め、着用時の前記動作を快適に行わせることができる。
【００３１】
図３は第１実施形態の変形例を示している。
第１実施形態の変形例では、図３に示すように、トップ側インナーウエアの第１領域布５の後身頃側中央部分５ｂの下端縁に縫着する後身頃布６をウエストラインＷまでとし、ウエストラインＷから下方には、第一領域布５よりさらに伸び率が大きい第二領域布９を臀部頂点まで達するインナーウエア１の下端縁まで延在させている。第二領域布９の素材も第一領域布５と同様のベア天竺からなる伸縮性素材とし、第一領域布５より第二領域布９の伸び率をさらに大きくするために、使用するベアのポリウレタン糸の繊度を大きくしている。
【００３２】
腰曲げ（前屈）動作を行ったとき、動作者の皮膚のうち最もよく伸びるのは第二領域布９でカバーされる皮膚領域である。よって、前記のように、第二領域布９を他の領域より伸び率の大きな伸縮性素材で形成することにより、腰曲げ動作に対するインナーウエア１の追従性も効果的に高めることができる。したがって、前記構成のインナーウエア１によれば、着用時の腕伸ばし動作と腰曲げ動作の両方を快適に行わせることができる。
【００３３】
図４は参考実施形態を示す。
参考実施形態では、袖部のないノースリーブのトップ側インナーウエア２０とした点以外は第１実施形態と同様としている。
本参考実施形態のトップ側インナーウエア２０は、図４に示すように、１枚布の前身頃布２３からなる前身頃部２１と、上端縁からウエストラインＷまでの後身頃布２４とウエストラインＷから下端縁までの第二領域布２５を縫着してなる後身頃部２２とからなり、下端縁が臀部頂点位置に達するロングタイプとしている。本実施形態のトップ側インナーウエア２０は、前後身頃部２１、２２を両脇でそれぞれ縫着して一体化している。
【００３４】
本参考実施形態では、第二領域布２５の素材を他の領域である前身頃布２３および後身頃布２４の素材と異ならせ、第二領域布２５の伸び率＞他の領域の伸び率としている。本参考実施形態では、第二領域布２５の素材を第１実施形態の変形例の第二領域布９と同じベア天竺からなる伸縮性素材とし、他の領域（前身頃布２３および後身頃布２４）の素材をトップ側インナーウエア１の他の領域（前身頃布４、後身頃布６、ラグラン袖部７）の素材と同じフライスからなる伸縮性素材としている。
【００３５】
前記のように、第二領域布２５を他の領域（前身頃布２３および後身頃布２４）より伸び率の大きな伸縮性素材で形成することにより、腰曲げ動作に対するインナーウエア２０の追従性を効果的に高めることができ、着用時の前記動作を快適に行わせることができる。
【符号の説明】
【００３６】
１  トップ側インナーウエア（ラグラン袖付き）
２  前身頃部
３  後身頃部
５  第一領域布
７  ラグラン袖部
８  腋下点
９  第二領域布
１０  ボトム側インナーウエア
１６  左右第三領域布
２０  トップ側インナーウエア（ノースリーブ）
２５  第二領域布
Ｒ  ラグランライン（縫着ライン）
Ｗ  ウエストライン
Ａ  円弧状切替ライン
Ｎ  首回りライン
Ｐ１  左右切替始点
Ｐ２  左右切替中間点
【図１】
0005524770.tif 000002
【図２】
0005524770.tif 000003
【図３】
0005524770.tif 000004
【図４】
0005524770.tif 000005
【図５】
0005524770.tif 000006